(57)【要約】【課題】  カードの表面を常時隠蔽し、必要な時にのみカード表面が露出できるようにしたカード隠蔽システムを提供する。【解決手段】  写真や名前等の個人情報欄３を付記したＩＤカード１の表面を隠蔽するブロックカバー５を備える。そして、このブロックカバー５としてシースルーフィルムを用いこれを明るくすることで透視可能にさせるか、あるいはＩＤカード１の表面から除去することでＩＤカード１の個人情報欄３を露出可能に構成する。【選択図】          図１
2007065530.tif 000002
【特許請求の範囲】
【請求項１】
写真や名前等の個人情報を付記したカードと、このカードの個人情報面を隠蔽するブロックカバーとを備え、このブロックカバーを透視させるか、あるいはブロックカバーをカードの表面から除去させることでカードの個人情報面を露出可能としたことを特徴とするカード隠蔽システム。
【請求項２】
写真や名前等の個人情報を付記したカードとしてＩＤカードを用いることを特徴とする請求項１記載のカード隠蔽システム。
【請求項３】
カードの個人情報面を隠蔽するブロックカバーとして、このブロックカバーの裏面を明るくすることでカード表面の個人情報面を透視可能にさせる一方、暗くすることでカード表面の個人情報面を透視不能にさせるシースルーフィルムを用いることを特徴とする請求項１記載のカード隠蔽システム。
【発明の詳細な説明】
【技術分野】
【０００１】
本発明は、例えば電子処理が施されたＩＤカード、ネームタグ、安全ピン付きの名札等のセキュリテイのために使用されるカード隠蔽システム関する。
【背景技術】
【０００２】
近年、例えば健康保険者証、会員証、職員証、社員証、学生証等の各種証明用カードとして表面に電子処理が施されたＩＤカードが普及している。このＩＤカードの表面には、写真や名前等が付記されている。そして、ＩＤカードの携帯者はこれを首から紐でぶら下げて携帯するのである。また、確認者側が携帯者が本人であるかを確認するときには、当該携帯者はＩＤカードをこのまま確認者側に提示し、確認者がＩＤカード表面をリーダによりスキャンすることで携帯者自身の確認と同時に個人情報を取得するのである。
【特許文献１】特に無し
【発明の開示】
【発明が解決しようとする課題】
【０００３】
しかしながら、従来におけるＩＤカードでは、この表面に写真や名前が常時露出しており、当該ＩＤカードの携帯者は写真や名前を常時人目に晒している状態である。これは従来のネームタグや安全ピン付きの名札等と同様に、単純に恥ずかしいというだけでなくセキュリテイ上においても問題がある。したがって、ＩＤカードの携帯者は不要な時には人に見せたくなく、また見せない方が安全性が高いものである。
【０００４】
そこで、本発明は、叙上のような従来存した諸事情に鑑みなされたもので、カードの表面が常時隠蔽されており、必要な時にのみカード表面が露出できるようにしたカード隠蔽システムを提供することを目的とする。
【課題を解決するための手段】
【０００５】
上述した課題を解決するため、本発明にあっては、写真や名前等の個人情報を付記したカードと、このカードの個人情報面を隠蔽するブロックカバーとを備え、このブロックカバーを透視させるか、あるいはブロックカバーをカードの表面から除去させることでカードの個人情報面を露出可能としたことを特徴とする。
【０００６】
写真や名前等の個人情報を付記したカードとしてＩＤカードを用いることができる。
【０００７】
カードの個人情報面を隠蔽するブロックカバーとして、このブロックカバーの裏面を明るくすることでカード表面の個人情報面を透視可能にさせる一方、暗くすることでカード表面の個人情報面を透視不能にさせるシースルーフィルムを用いることができる。
【０００８】
本発明によるカード隠蔽システムにあっては、写真や名前等の個人情報を付記したカードの表面をブロックカバーによって常時隠蔽しておき、必要に応じて該ブロックカバーを透視させるか、あるいはカード表面から除去することで当該カード表面を露出させ個人情報を視認できるようにする。
【発明の効果】
【０００９】
本発明によれば、カードの表面が常時隠蔽されており、必要な時にのみカード表面が露出できるようにしたカード隠蔽システムを提供することができる。
【００１０】
すなわち、これは本発明が、写真や名前等の個人情報を付記したカード、例えばＩＤカードの表面を隠蔽するブロックカバーを備え、このブロックカバーにシースルーフィルムを用いて透視可能とするか、あるいはカード表面の個人情報欄から除去することでＩＤカード表面を露出可能としたからであり、これにより、ＩＤカードの携帯者は不要な時、または人には見せたくない時等には、ブロックカバーによって直接、あるいはブロックカバーを透視不能とすることでＩＤカードの写真や名前等の個人情報を隠蔽しておくことができる。したがって、個人情報のセキュリテイ保護のためにも十分な効果を発揮させることができる。
【発明を実施するための最良の形態】
【００１１】
以下、図面を参照して本発明を実施するための最良の一形態を説明すると、図において示される符号１は、例えば健康保険者証、会員証、職員証、社員証、学生証等の各種証明用カードとして表面に電子処理が施され、リーダのスキャンにより読取り可能としたＩＤカードであり、図１に示すように、このＩＤカード１の表面には、ＩＤタグ２と携帯者自身の写真や名前等の個人情報欄３とが設けられている。
【００１２】
そして、ＩＤカード１の端部には折り癖を付与して成る連設部４を介して、当該ＩＤカード１と同一サイズのブロックカバー５が一体形成され、ＩＤタグ２と写真や名前等の個人情報欄３を付記したＩＤカード１の表面を隠蔽すると共に、ＩＤカード１を不図示のリーダでスキャンする時には、該ブロックカバー５を捲ることでＩＤカード１表面を露出するようにしてある。また、このブロックカバー５の表面には、例えば保険機関名、役所名、会社名、学校名等の名称欄Ｐを設けたり、デザイン、キャラクター等の装飾欄Ｑを設けたりしてある。
【００１３】
この連設部４を形成する部材は、ＩＤカード１およびブロックカバー５を構成している部材と同一のものであったり、あるいはＩＤカード１の部材端部を延長させてブロックカバー５を一体形成しておき、ＩＤカード１とブロックカバー５との境界部分に折り癖を付与することで連設部４としても良い。尚、本発明におけるカード隠蔽システムは、ＩＤカード１に使用しているが、これ以外のカード、例えばネームタグ、安全ピン付きの名札等に応用しても良いことは勿論である。
【００１４】
また、図１（ｂ）に示すように、連設部４と反対側にあるブロックカバー５開放端は、パッチン止め部６によって当該ブロックカバー５を閉じた状態でＩＤカード１に固定されるようにしてある。すなわち、このパッチン止め部６は、ブロックカバー５開放端裏側に係止突起６Ａを設け、これに対向してＩＤカード１表面には、係止突起６Ａの太さよりも若干小さい係止孔６Ｂを設け、係止突起６Ａを係止孔６Ｂに係合させることで、ブロックカバー５が不用意に開放されないように構成されている。そして、ブロックカバー５、ＩＤカード１それぞれの連設部４側寄りの中央には貫挿孔７を設け、この貫挿孔７に首吊下げ紐８を挿通させてある。
【００１５】
尚、このパッチン止め部６の替わりに、ＩＤカード１をリーダでスキャンする時にワンタッチでブロックカバー５が外れるように構成し、スキャン後ではそのまま手を放すことで首吊下げ紐８の支持を介してＩＤカード１とブロックカバー５とが互いに重なった状態に自動復帰できるようにしても良い。
【００１６】
次に、以上のように構成された最良の形態についての使用の一例について説明すると、携帯者は、ＩＤカード１を首吊下げ紐８を首に架けて携帯する。このときＩＤカード１に付記された携帯者の写真や名前等の個人情報欄３を他人に見られたくないときは、連設部４の折り込みによってＩＤカード１の表面をブロックカバー５によって隠蔽し、パッチン止め部６によって不用意に開放されないように固定しておく。一方、確認者側でＩＤカード１をリーダでスキャンする時には、パッチン止め部６を外してブロックカバー５を捲ることでＩＤカード１表面が露出される。
【００１７】
図２乃至図４には、本実施の形態の他例が示されている。
先ず、図２に示す実施の形態では、連設部４を、ブロックカバー５、ＩＤカード１それぞれの端部同士を連繋する筒状の鳩目部材によって構成され、該鳩目部材を支点としてブロックカバー５をＩＤカード１に対して水平方向にスライド（回動）可能となるようにすることでＩＤカード１表面を露出させるようにしてある。この鳩目部材による連設部４は、筒体２１Ａの両端開口側に、ブロックカバー５、ＩＤカード１それぞれを挟持するための環状のフランジ２１Ｂを設けることで構成される。そして、鳩目部材による連設部４の筒体２１Ａに首吊下げ紐８を挿通してある。
【００１８】
次に、図３に示す実施の形態では、ブロックカバー５は、ＩＤカード１を引き出して露出させるか、または押し込んで隠蔽させるかするための薄板状のスライドケース体によって形成してある。このスライドケース体の表面には、例えば保険機関名、役所名、会社名、学校名等の名称欄Ｐと、デザイン、キャラクター等の装飾欄Ｑを設け、一端側には首吊下げ紐８を挿通するための貫挿孔７を設けてあり、さらに、ＩＤカード１の引き出し端部には、引き出し用の取っ手２４を延設してある。
【００１９】
また、ＩＤカード１の一端両側には、当該ＩＤカード１を引き出した際に、これがスライドケース体から抜け外れないようにするために、ＩＤカード１の一端両側にはストッパー２２が設けられている。さらに、ＩＤカード１の引き出し側の中央には係止孔２３Ｂを設け、この係止孔２３Ｂに対向してスライドケース体の開口縁部内側には係止突起２３Ａが形成されており、スライドケース体内にＩＤカード１を押込んだ際に、係止孔２３Ｂに係止突起２３Ａが係合することで、スライドケース体内から不用意にＩＤカード１が飛び出さないようにしてある。
【００２０】
次に、図４に示す実施の形態では、ブロックカバー５の裏側に透明シート材からなる偏平な袋部１５を配設し、この袋部１５の側方に設けられた開口１６より袋部１５内部にＩＤカード１が、その個人情報欄３が裏側に向くようにして収納されている。さらに、ブロックカバー５の裏側には袋部１５内のＩＤカード１を遮蔽するカバープレート１７が連設部４を介して設けられている。
【００２１】
すなわち、図４（ａ）に示すように、連設部４を、ブロックカバー５端部中央から突出されたジョイント軸部１１と、ジョイント軸部１１をカバープレート１７側端部中央に回転可能に枢着する円筒軸受部１２とによって形成してある。このジョイント軸部１１の中間部分は二つに分離され、これらが互いに軸廻り方向へ回動可能となるように回動支承部１３を介して連繋されており、またジョイント軸部１１の先端には左右一対のアーム部１４を形成してある。そして、カバープレート１７の端部中央に付設された左右一対の円筒軸受部１２に、ジョイント軸部１１のアーム部１４を回動可能に挿入支承させることにより、図４（ｂ）に示すように、ブロックカバー５をカバープレート１７から起立させたのち、１８０度左右方向に反転できるようになっている。
【００２２】
このようにブロックカバー５反転することで透明シート材からなる袋部１５が正面に向けられ、袋部１５内部に収納されたＩＤカード１の正面に設けられた個人情報欄３が露出するため視認可能となる。
【００２３】
次に、図５に示す実施の形態では、ブロックカバー５の裏側に、その周りに設けられたスペーサ１８を介在してＩＤカード１を配設固定してある。これによってブロックカバー５とＩＤカード１との間に一定の隙間１９が形成され、この隙間１９の周囲に照明体２０を介設してある。この照明体２０としては、ブロックカバー５を裏側から照明するものであれば豆電球、ＬＥＤ照明素子の何れでもよい。この照明体２０は図示例では４個設けられているが、ブロックカバー５の裏側全体を明るくできるものであれば数は問わない。
図５（ｂ）において、２５は電源スイッチ、２６は首吊下げ紐をそれぞれ示す。
【００２４】
ブロックカバー５としては、照明体２０が点灯しブロックカバー５の裏側が明るくなったときブロックカバー５が透視可能な状態となってＩＤカード１の表面に設けられた個人情報欄３が視認できる一方、照明体２０が消灯しブロックカバー５の裏側が暗くなったときブロックカバー５が透視不能な状態となってＩＤカード１の表面に設けられた個人情報欄３が隠蔽されるシースルーフィルムが用いられる。
【００２５】
次に、図６に示す実施の形態では、ブロックカバー５とＩＤカード１とを雌・雄の面テープ２７とスペーサ２８を介して接・離自在に接合するものとなっている。
【００２６】
すなわち、ブロックカバー５の四隅の表側に雄の面テープ２７ａが取付けられ、裏側にスペーサ２８を介して雄の面テープ２７ｂが取付けられている。そして、ＩＤカード１の表面の対応箇所には雌の面テープ２７ｃが取付けられている。
【００２７】
そして、図６（ｂ）に示したように、ブロックカバー５のスペーサ２８の頂面に設けられた雄の面テープ２７ｂをＩＤカード１の雌の面テープ２７ｃへ接合すると、ブロックカバー５とＩＤカード１間に大きな隙間２９が形成される。
【００２８】
一方、図６（ｃ）に示したように、ブロックカバー５をＩＤカード１から剥離させたのち反転させてその雄の面テープ２７ａをＩＤカード１の雌の面テープ２７ｃへ接合すると、ブロックカバー５とＩＤカード１はほぼ密着状態となる。
【００２９】
ブロックカバー５としては、ＩＤカード１との間に介在したスペーサ２８によって隙間２９が形成され、この隙間２９内へ光（自然光あるいは室内の照明光）が照射されたとき、当該ブロックカバー５の裏側が明るくなり透視可能となってＩＤカードの表面に設けられた個人情報欄３が視認できる一方、ブロックカバー５とＩＤカード１とがほぼ密着状態となったときブロックカバー５の裏側が暗くなり透視不能となってＩＤカードの表面に設けられた個人情報欄３が隠蔽されるシースルーフィルムが用いられる。
【００３０】
図６において、３０はＩＤカード１の上方の延長部に取付けられた首吊下げ紐である。
なお、ブロックカバー５とＩＤカード１の接合部材としては雌・雄の面テープ２７に限られるものではなく、例えば金属あるいはプラスチック製のスナップ式ボタン等を用いることもできる。
【図面の簡単な説明】
【００３１】
【図１】本発明を実施するための最良の形態を示すもので、（ａ）は使用状態の斜視図、（ｂ）は中央縦断面図である。
【図２】本発明を実施するための最良の形態における更に他例を示すもので、（ａ）は使用状態の斜視図、（ｂ）は中央縦断面図である。
【図３】本発明を実施するための最良の形態における更に他例を示す使用状態の斜視図である。
【図４】本発明を実施するための最良の形態における更に他例を示すもので、（ａ）は使用状態の斜視図、（ｂ）はブロックカバーを起した状態の中央縦断面図である。
【図５】本発明を実施するための最良の形態における更に他例を示すもので、（ａ）は使用状態の斜視図、（ｂ）は中央縦断面図である。
【図６】本発明を実施するための最良の形態における更に他例を示すもので、（ａ）は使用状態の斜視図、（ｂ）はブロックカバーとＩＤカードとの間に隙間が形成されている状態の中央縦断面図、（ｃ）は密着状態の中央縦断面図である。
【符号の説明】
【００３２】
Ｐ      名称欄
Ｑ      装飾欄
１      ＩＤカード
２      ＩＤタグ
３      個人情報欄
４      連設部
５      ブロックカバー
６      パッチン止め部
６Ａ    係止突起
６Ｂ    係止孔
７      貫挿孔
８      首吊下げ紐
１１    ジョイント軸部
１２    円筒軸受部
１３    回転支承部
１４    アーム部
１５    袋部
１６    開口
１７    ベースプレート
１８    スペーサ
１９    隙間
２０    照明体
２１Ａ  筒体
２１Ｂ  フランジ
２２    ストッパー
２３Ａ  係止突起
２３Ｂ  係止孔
２４    取っ手
２５    電源スイッチ
２６    首吊下げ紐
２７    雌・雄の面テープ
２７ａ  雄の面テープ
２７ｂ  雄の面テープ
２７ｃ  雌の面テープ
２８    スペーサ
２９    隙間
３０    首吊下げ紐
【図１】
2007065530.tif 000003
【図２】
2007065530.tif 000004
【図３】
2007065530.tif 000005
【図４】
2007065530.tif 000006
【図５】
2007065530.tif 000007
【図６】
2007065530.tif 000008